(57)【特許請求の範囲】
【請求項１】
画面表示部を備えた電子装置を載置させて脱着自在に固定するための電子装置の脱着機構付き載置台において、
電子装置を所定の水平方向に位置決めして水平方向の移動を拘束した状態で載置させる位置決め部を備えた前記載置板と、この載置板の裏面に沿って載置台の手前側から基端側へスライド可能に載置板にガイドされるロックスライダと、このロックスライダの裏面に対して離接可能に基端部が前記ロックスライダに枢着され、かつ下方への押圧操作に対抗するようにばね付勢されたロックレバーとを備え、
ピン先端部の下側にその外径よりも相対的に大きな外径のロック部を有するスライド動作拘束用ピンを下方への押圧に対抗するようにばね付勢した状態で前記ロックスライダに昇降可能に支持させると共に、前記ロック部を係入させて前記ロックスライダの基端側へのスライドを拘束する係合穴と、この係合穴に連通して前記ピン先端部の基端側へのスライドをガイドし、かつ前記ロック部のスライドを拘束するように前記係合穴よりも小さな横幅の逃げ溝とを前記載置板に形成し、
前記スライド動作拘束用ピンの形状は、前記載置板から上方へ突出している前記ピン先端部が前記載置板に載置された電子装置の基底部で下方へ押圧されることにより、前記ロック部が前記係合穴から離脱し得るように設定され、
上方へ突出して基端側へ曲がるロック爪を前記ロックスライダに突設すると共に、前記基底部にロック溝を形成し、このロック溝の形状は、前記載置板へ前記電子装置が載置されると前記ロック爪が侵入し、さらに基端側へスライドすると前記ロック爪が前記ロック溝の周辺部の上面に係合するように設定され、
前記ロックレバーにスライド位置拘束用ピンを上方へ向けて突設すると共に、このスライド位置拘束用ピンが前記ロック爪を前記ロック溝に侵入させるアンロック位置及び前記周辺部の前記上面に係合するロック位置で選択的に係入するように、アンロック位置用ロック穴及びこのロック穴よりも基端側に位置するロック位置用ロック穴を前記載置板に形成したことを特徴とする電子装置の脱着機構付き載置台。
【請求項２】
電子装置の装置本体が装置基部に所定の角度範囲で回転自在に支持されると共に、位置決め部が、前記装置本体が正面を向いた状態での前記装置本体の外周形状に対応した位置決め穴として形成され、
ロック溝が、回転中心点に対して所定の角度範囲に対応した円弧状に形成されていることを特徴とする請求項１記載の電子装置の脱着機構付き載置台。
【請求項３】
電子装置が生体信号モニタ装置であり、前記載置板が台車に取付けられることを特徴とする請求項１又は請求項２記載の電子装置の脱着機構付き載置台。
【発明の詳細な説明】
【０００１】
【発明の属する技術分野】
本発明は、パソコン、生体信号モニタ装置等の種々の情報或は映像等を表示する画面表示部を備えた電子装置を載置させて脱着自在に固定するための電子装置の脱着機構付き載置台に関するものである。
【０００２】
【従来の技術】
生体信号波形或は解析結果を画像表示面で監視する生体信号モニタ装置は、病院内で台車に搭載して移動させたり、人の出入りの多い狭い場所に載置する場合がある。このような転落による衝撃で壊れ易い電子装置を落下防止のために載置場所に固定するには、その基底部をねじ止めするのが通常である。
【０００３】
【発明が解決しようとする課題】
本発明は、このような点に鑑みて、画面表示部を備えた電子装置を載置させて簡単な操作で脱着自在に固定するための電子装置の脱着機構付き載置台を提供することを目的とする。
【０００４】
【課題を解決するための手段】
本発明は、この目的を達成するために、請求項１により、画面表示部を備えた電子装置を載置させて脱着自在に固定するための電子装置の脱着機構付き載置台において、電子装置を所定の水平方向に位置決めして水平方向の移動を拘束した状態で載置させる位置決め部を備えた載置板と、この載置板の裏面に沿って載置台の手前側から基端側へスライド可能に載置板にガイドされるロックスライダと、このロックスライダの裏面に対して離接可能に基端部がロックスライダに枢着され、かつ下方への押圧操作に対抗するようにばね付勢されたロックレバーとを備え、ピン先端部の下側にその外径よりも相対的に大きな外径のロック部を有するスライド動作拘束用ピンを下方への押圧に対抗するようにばね付勢した状態でロックスライダに昇降可能に支持させると共に、ロック部を係入させてロックスライダの基端側へのスライドを拘束する係合穴と、この係合穴に連通してピン先端部の基端側へのスライドをガイドし、かつロック部のスライドを拘束するように係合穴よりも小さな横幅の逃げ溝とを載置板に形成し、スライド動作拘束用ピンの形状は、載置板から上方へ突出しているピン先端部が載置板に載置された電子装置の基底部で下方へ押圧されることにより、ロック部が係合穴から離脱し得るように設定され、上方へ突出して基端側へ曲がるロック爪をロックスライダに突設すると共に、基底部にロック溝を形成し、このロック溝の形状は、載置板へ電子装置が載置されるとロック爪が侵入し、さらに基端側へスライドするとロック爪がロック溝の周辺部の上面に係合するように設定され、ロックレバーにスライド位置拘束用ピンを上方へ向けて突設すると共に、このスライド位置拘束用ピンがロック爪をロック溝に侵入させるアンロック位置及び周辺部の上面に係合するロック位置で選択的に係入するように、アンロック位置用ロック穴及びこのロック穴よりも基端側に位置するロック位置用ロック穴を載置板に形成したことを特徴とする。
【０００５】
電子装置が位置決め部により決められた載置位置にしたがって載置板に載置されると、スライド動作拘束用ピンが下方へ押圧されて、そのロック部が係合穴から離脱し、そのピン先端部が逃げ溝にスライド可能な状態となり、同時にロック爪がロック溝に侵入して、ロックスライダはスライド準備状態になる。ロックレバーを下方へ押圧すると、スライド位置拘束用ピンがアンロック位置用ロック穴から離脱し、ロックスライダのスライド操作が可能な状態になる。ロックスライダを基端側へ押し、ロック爪をロック溝の基端側周辺部に係合させた状態でロックレバーの下方へ押圧を解除すると、スライド位置拘束用ピンがロック位置用ロック穴に係入する。これにより、ロックスライダのスライド操作が拘束され、電子装置は位置決め部で水平方向の移動及びロック爪で上方への抜けが拘束される。
【０００６】
首振式の電子装置の載置作業を容易にするには、請求項２により、電子装置の装置本体が装置基部に所定の角度範囲で回転自在に支持されると共に、位置決め部が、装置本体が正面を向いた状態での装置本体の外周形状に対応した位置決め穴として形成され、ロック溝が、回転中心点に対して所定の角度範囲に対応した円弧状に形成される。
【０００７】
請求項３によれば、電子装置が生体信号モニタ装置であり、載置板が台車に取付けられることにより、病院内で移動される電子装置用として好適となる。
【０００８】
【発明の実施の形態】
図１乃至図７を基に本発明の実施の形態の一例による電子装置の脱着機構付き載置台を説明する。この載置台１９（図２Ａ）は、キャスタを備えた台車１（図７）のハンドル２ａ付きの天板２に固定されて、複数人の患者の生体信号をダイバシティアンテナ５ｃで受信して生体信号波形を文字情報と共に表示する画面表示部を備えた電子装置である生体信号モニタ装置５（図４）を搭載させる。
【０００９】
この生体信号モニタ装置は、その装置基部７に装置本体５ａが、左右にそれぞれ２０°の範囲で首振自在に以下に説明するように支持されている。装置基部７は、図５に示すように、支持穴７ｂに対して半径方向にストッパ面６を両側に有し、半径が２段階に異なる円弧状の外周面を有する。装置本体５ａの底部の周辺フレーム５ｂの内側には、装置基部７に対応して半径が２段階に異なる円弧状の外周面を有する底部８が設けられている。この底部には、支持穴７ｂに挿入されて回転可能に支持される支柱８ａと、ストッパ面６に対接可能なストッパ面６ａを両側に備え、４０°の回転角を確保する隙間を置く形状の円弧部８ｂとが下設されている。底部８には抜け止めピンが下設され、装置基部７の上面に形成された溝７ｃの周辺に係止される。
【００１０】
載置台１９は、装置本体５ａが正面を向いた状態で載置させる位置決め部としての位置決め穴１１を備えて、天板２に取付けられるカバー１０と、周辺フレーム５ｂを侵入させ得るように位置決め穴１１に対して距離を置いてカバー１０内に収納される載置板２０と、この載置板の裏面に沿って載置台１９の手前側から基端側へスライド可能に載置板２０にガイドされるロックスライダ３０と、このロックスライダに離接可能に基端部がその裏面に形成されたヒンジブラケット３６にピン４１で枢着されるロックレバー４０とを備えている。
【００１１】
ロックスライダ３０は、その四隅のガイド溝３８ｂにワッシャ３８ａを介してスライドピン３８が挿通され、先端部のねじ山が載置板２０のねじ穴２４にねじ込まれることにより、載置板２０に対して接面状態でスライド可能になっている。先端部の幅狭の突出部３９にはスライド操作用ハンドル５０が取付けられる。
【００１２】
また、ロックスライダ３０には、外径の小さなピン先端部３１ａの下側に外径が相対的に大きなロック部３１ｂを有し、かつ上方へ付勢する復帰ばね３２付きのスライド動作拘束用ピン３１が、ブラケット３３（図２Ａ）に下端部３１ｃをスライド可能に挿通させた状態で支持されている。対応して、載置板２０には、ロック部３１ｂをその外径に対応した内径のピン挿通孔３４と共に係入させてロックスライダ３０の基端側へのスライドを拘束する係合穴２１と、この係合穴に連通してピン先端部３１ａの基端側へのスライドを許容し、かつロック部３１ｂのスライドは拘束するように係合穴２１よりも小さな横幅の逃げ溝２２とが形成されている。スライド動作拘束用ピン３１の形状は、載置板２０から上方へ突出しているピン先端部３１ａが載置板２０に載置された生体信号モニタ装置５の装置基部７で下方へ押圧されることにより、ロック部３１ｂが係合穴２１から離脱し得るように設定されている。
【００１３】
さらに、ロックスライダ３０には、上方へ突出して基端側へ曲がるＬ字形のロック爪３５が四方に突設され、組立状態で載置板２０の切欠２３を通してその上方へ突出する。対応して、図６に示すように、装置基部７の載置板２０へ載置されるプレート状の基底部７ｄには、ロック爪３５を侵入させ、かつこのロック爪が基端側へスライドすると基端側の周辺部の上面に係合して装置基部７の上方への抜けを拘束させる円弧状のロック溝９が形成されている。このロック溝は、首振角４０°より大きな２個、連通したさらに大きな１２０°程度の１個とで構成されている。
【００１４】
ロックレバー４０には、スライド位置拘束用ピン４５がロックスライダ３０の後述する切欠３０ａを挿通されて上方へ突設されている。対応して、載置板２０には、ロック爪３５のアンロック位置及びロック位置に相当する位置に、ピン４５を係入させるアンロック位置用ロック穴２６及び基端側寄りのロック位置用ロック穴２７が形成されている。
【００１５】
ロックレバー４０のねじ挿通孔４２には、上方へ付勢する復帰ばね４３が装着されたボルト４４が挿通されてロックスライダ３０のねじ穴３７へねじ込まれることにより、ロックレバー４０の下方への押圧が解除されると、ほぼ水平位置へ復帰させるようになっている。ロックレバー４０の先端部４９は、ロックスライダ３０の切欠３０ａを通してハンドル５０に侵入し、その開口部５１に達して押圧操作可能な位置を占める。
【００１６】
天板２には、図２Ａに１個のみ示すように、ボルト５５でケース１０の四隅がねじ止めされ、載置板２０を座部５５ａに着座させた状態でねじ止めされる。これにより、載置台１９は、載置板２０をケース１０に固定した状態で台車１の天板２に固定される。
【００１７】
このように構成された載置台１９の動作を図２を参照して説明する。生体信号モニタ装置５を台車１に搭載する場合、装置基部７に対して使用されていた４０°の範囲内で任意の首振位置のままの状態で装置本体５ａを位置決め穴１１に装着する。その両側部１１ａの形状は、装置本体５ａの周辺フレーム５ｂの両側の周辺形状に対応し、コーナ１１ｂで前後方向の位置決めも行われることにより、装置基部７に対する回転角と無関係におのずと正面を向く。
【００１８】
その際、装置基部７の基底部７ｄでスライド動作拘束用ピン３１のピン先端部３１ａが押されると共に、ロック爪３５がロック溝９へ侵入する。その形状が回転範囲に対応した円弧状であることにより、いずれの首振位置であっても干渉することなく侵入し得る（図２Ｂ）。この状態で、スライド動作拘束用ピン３１のロック部３１ｂが係合穴２１を離脱して、ロックスライダ３０は載置板２０に対して基端側へスライド準備状態になるが、ロックレバー４０のスライド位置拘束用ピン４５のアンロック位置用ロック穴２６への係入により、ロックスライダ３０はアンロック位置に拘束されている。
【００１９】
ロックレバー４０の先端部４９を下方に押すと、ピン４５がアンロック位置用ロック穴２６から離脱し、既にロック部３１ｂがロック穴２１から離脱していることにより、ロックスライダ３０は基端側へのスライド操作の拘束が解除される（図２Ｃ）。
【００２０】
続いて、ハンドル５０を基端側へ押し、ロックスライダ３０の基端がカバー１０の基端側周面に当接した時点でロックレバー４０の押圧を解除すると、ピン４５がロック位置用ロック穴２７に係入する（図２Ｄ）。これにより、生体信号モニタ装置５は位置決め穴１１で載置板２０に沿った水平方向の移動が拘束されると共に、ロック爪３５によりロック溝９の周辺部が押さえられて上方への抜けも拘束される。ロックスライダ３０はピン４５により手前へのスライドも拘束され、またハンドル５０の表面に設けられた黄色の注意マーク５３がスライド操作で載置板２０に隠れることにより、生体信号モニタ装置５がロック状態であることが確認される。したがって、台車１の移動中に生体信号モニタ装置５が振動或は人との接触により転落することが防止される。
【００２１】
生体信号モニタ装置５を外す場合には、ロックレバー４０を下方へ押してロックスライダ３０を手前に引き、その先端縁３０ｂがカバー１０の手前側の周面に当接した時点でロックレバー４０の押圧を解除すると、ピン４５がアンロック位置用ロック穴２６に係入する。
【００２２】
尚、以上説明した載置台は、台車に限らず、電子装置の狭い載置場所に設けることができる。また、首振機能を備えない電子装置にも適用される。この場合、ロック溝は扇形である必要はなく、位置決め部の位置決め誤差を考慮して横幅をロック爪よりも僅かに広くした方形状で良く、さらに基底部はプレートでなくても良いが、ロック溝の基端側周辺部はロック爪と係合するように板状に形成する。位置決め部は、前述の穴状でなく、位置決め可能に少なくとも電子装置の周辺フレームの両側を挟持する周壁として載置板に突設することもできる。
【００２３】
【発明の効果】
請求項１の発明によれば、壊れ易い画表示部を備えた電子装置の転落を確実に防止できる上下及び前後２操作の脱着機構付き載置台が簡単な構成で実現される。請求項２の発明によれば、装置本体が首振機能を備える場合でも、装置基台との相対的な回転位置を整合させることなく載置可能となる。請求項３の発明によれば、病院内で移動される生体信号モニタ装置の転落を確実に防止できる台車が実現される。
【図面の簡単な説明】
【図１】本発明の実施の形態による台車に搭載された生体信号モニタ装置の脱着機構付き載置台の分解斜視図である。
【図２】同載置台の動作過程を説明する図１のＡ−Ａ線に沿った組立状態での断面図である。
【図３】台車に搭載された状態での同載置台の平面図である。
【図４】同載置台に搭載される生体信号モニタ装置を示すもので、同図Ａはその斜視図、同図Ｂはその側面図である。
【図５】同生体信号モニタ装置の装置本体の底部及び装置基部の斜視図である。
【図６】同装置基部の底面図である。
【図７】同台車の側面図である。
【符号の説明】
５  生体信号モニタ装置
５ａ  装置本体
７  装置基部
７ｄ  基底部
９  ロック溝
１０  カバー
１９  載置台
２０  載置板
２１  係合穴
２２  逃げ溝
２６  アンロック位置用ロック穴
２７  ロック位置用ロック穴
３０  ロックスライダ
３１  スライド動作拘束用ピン
３１ａ  ピン先端部
３１ｂ  ロック部
３５  ロック爪
３８  スライドピン
４０  ロックレバー
４５  スライド位置拘束用ピン
【図１】
0003940830.tif 000002
【図２】
0003940830.tif 000003
【図３】
0003940830.tif 000004
【図４】
0003940830.tif 000005
【図５】
0003940830.tif 000006
【図６】
0003940830.tif 000007
【図７】
0003940830.tif 000008